(57)【要約】  直下型のバックライトを備え、光漏れを確実に防止することができる表示装置を提供する。  表示装置は、表示パネル２と直下型の光源６３との間に光学シート３を配置してあり、表示パネル２の周縁部を背面側から枠状の内部シャーシ（支持体）４で支持している。表示パネル２の周縁部の背面側には全周に亘って遮光部材５が配置されており、遮光部材５の外枠部５１は表示パネル２と内部シャーシ４との間に挟まれており、遮光部材５の内枠部５２は表示パネル２と光学シート３との間に挟まれている。光学シート３を通過した光は、偏光板２３よりも外側へ漏れようとしても、遮光部材５で遮光されて漏れることはない。このため、表示パネル２の周縁部へ光が入射することが防止され、光漏れの発生が防止される。
2015177866.tif 000002
【特許請求の範囲】
【請求項１】
背面に光を入射され、正面に画像を表示する表示パネルと、該表示パネルの背面側に配置されており、前記表示パネルへ光を照射する光源と、前記表示パネル及び前記光源の間に配置されており、前記光源からの光を通過させる光学シートと、前記表示パネル及び前記光学シートの周縁部を背面側から支持する枠状の支持体とを備える表示装置において、
前記表示パネルの周縁部の背面側に、前記表示パネルの全周に亘って枠状の遮光部材を配置してあり、
該遮光部材は、
前記表示パネル及び前記支持体の間に挟まれた外枠部と、
該外枠部の内側に連なっており、前記表示パネル及び前記光学シートの間に挟まれた内枠部とを有すること
を特徴とする表示装置。
【請求項２】
前記表示パネルは、
ガラスパネル部及び該ガラスパネル部の背面側に設けられた偏光板を含んでおり、
前記ガラスパネル部は前記偏光板よりも大きく、
前記外枠部は、前記表示パネルに沿った方向へ前記偏光板の端から前記ガラスパネル部が突出した部分に接触しており、
前記内枠部は、前記偏光板の背面に接触していること
を特徴とする請求項１に記載の表示装置。
【請求項３】
前記遮光部材は、前記内枠部の位置が前記外枠部に比べて背面側に偏移した段状の形状を有すること
を特徴とする請求項２に記載の表示装置。
【請求項４】
前記遮光部材は、弾性を有すること
を特徴とする請求項１から３までのいずれか一つに記載の表示装置。
【請求項５】
前記遮光部材は、前記表示パネルの周縁部又は前記支持体に接着されていること
を特徴とする請求項１から４までのいずれか一つに記載の表示装置。
【請求項６】
前記遮光部材は、前記外枠部が前記支持体に接着されており、前記内枠部の厚みが前記外枠部よりも薄いこと
を特徴とする請求項４に記載の表示装置。
【請求項７】
前記光学シートは、前記支持体の内側に配置されており、
前記支持体は、光を遮蔽し、前記光学シートの周縁部の背面に接触して前記光学シートを支持する部分を有すること
を特徴とする請求項１から６までのいずれか一つに記載の表示装置。
【発明の詳細な説明】
【技術分野】
【０００１】
本発明は、直下型のバックライトを用いて画像を表示する表示装置に関する。
【背景技術】
【０００２】
液晶パネル等の非発光型の表示パネルを用いて画像を表示する表示装置は、表示パネルを背後から照明するバックライトを備えている。バックライトには、表示パネルの背後に光源が配置された直下型のものと、表示パネルの背後に導光板が配置され、導光板の端面に対向して光源が配置されたエッジライト型のものとがある。バックライトからの光は、表示パネルの背面へ入射し、画像を表示する表示面から出射される。しかし、バックライトからの光の一部が表示パネルの端面から入射することがある。この場合、表示パネルの端面から入射した光は表示面の周縁部分から出射し、表示面の周縁部分が他の部分よりも明るくなる光漏れが発生する。光漏れが発生した場合は、表示されている画像の品位が悪化する。特に、狭額縁化した表示装置では、光漏れが発生しやすくなる。特許文献１には、表示パネルの端面に接する遮光部材を備えることにより光漏れを防止する技術が開示されている。
【先行技術文献】
【特許文献】
【０００３】
【特許文献１】特開２０１３−１７１６１９号公報
【発明の概要】
【発明が解決しようとする課題】
【０００４】
特許文献１に開示された技術では、遮光部材が表示パネルの端面に接していることで光漏れを防止しているものの、組立のばらつき等のために遮光部材の位置がずれた場合は、光漏れが発生することになる。また、表示パネルは、複数のガラス基板を含むガラスパネル部を二枚の偏光板で挟んだ構造になっており、ガラスパネル部は偏光板よりも大きい。表示パネルの周縁部分の背面では、ガラスパネル部の一部が偏光板に覆われておらずに露出している。ガラスパネル部が露出した部分に光が入射した場合は、同様に光漏れが発生する。【０００５】
本発明は、斯かる事情に鑑みてなされたものであって、その目的とするところは、直下型のバックライトを備え、光漏れを確実に防止することができる表示装置を提供することにある。
【課題を解決するための手段】
【０００６】
本発明に係る表示装置は、背面に光を入射され、正面に画像を表示する表示パネルと、該表示パネルの背面側に配置されており、前記表示パネルへ光を照射する光源と、前記表示パネル及び前記光源の間に配置されており、前記光源からの光を通過させる光学シートと、前記表示パネル及び前記光学シートの周縁部を背面側から支持する枠状の支持体とを備える表示装置において、前記表示パネルの周縁部の背面側に、前記表示パネルの全周に亘って枠状の遮光部材を配置してあり、該遮光部材は、前記表示パネル及び前記支持体の間に挟まれた外枠部と、該外枠部の内側に連なっており、前記表示パネル及び前記光学シートの間に挟まれた内枠部とを有することを特徴とする。【０００７】
本発明においては、表示装置は、表示パネルと直下型の光源との間に光学シートを配置してあり、表示パネルの周縁部を背面側から枠状の支持体で支持している。表示パネルの周縁部の背面側には全周に亘って遮光部材が配置されており、遮光部材の外枠部は表示パネルと支持体との間に挟まれており、遮光部材の内枠部は表示パネルと光学シートとの間に挟まれている。光学シートを通過した光は遮光部材で遮光され、表示パネルの周縁部へ光が入射することが防止される。【０００８】
本発明に係る表示装置は、前記表示パネルは、ガラスパネル部及び該ガラスパネル部の背面側に設けられた偏光板を含んでおり、前記ガラスパネル部は前記偏光板よりも大きく、前記外枠部は、前記表示パネルに沿った方向へ前記偏光板の端から前記ガラスパネル部が突出した部分に接触しており、前記内枠部は、前記偏光板の背面に接触していることを特徴とする。【０００９】
本発明においては、表示パネルのガラスパネル部は、背面側に配置された偏光板よりも大きい。ガラスパネル部の周縁部は、偏光板の端よりも突出し、背面が偏光板に覆われずに露出している。遮光部材の外枠部は、ガラスパネル部の周縁部の背面に接触しており、内枠部は偏光板の背面に接触している。光学シートを通過した光は遮光部材で遮光され、ガラスパネル部の偏光板に覆われずに露出した部分へ光が入射することが防止される。【００１０】
本発明に係る表示装置は、前記遮光部材は、前記内枠部の位置が前記外枠部に比べて背面側に偏移した段状の形状を有することを特徴とする。【００１１】
本発明においては、遮光部材は、内枠部の位置が外枠部に比べて背面側に偏移した段状の形状になっている。遮光部材と、表示パネル、支持体及び光学シートとの密着性が高くなり、また、遮光部材の位置ずれが防止される。【００１２】
本発明に係る表示装置は、前記遮光部材は、弾性を有することを特徴とする。【００１３】
本発明においては、遮光部材は、弾性を有しているので、表示パネルと支持体及び光学シートとの間で押圧されることによって復元力が発生し、表示パネル及び光学シートの周縁部に密着するように当接する。このため、光学シートを通過した光が表示パネルの周縁部へ入射することが確実に防止される。【００１４】
本発明に係る表示装置は、前記遮光部材は、前記表示パネルの周縁部又は前記支持体に接着されていることを特徴とする。【００１５】
本発明においては、遮光部材が表示パネルの周縁部又は支持体に接着されていることにより、表示装置の組み立て時に遮光部材の位置ずれが防止される。【００１６】
本発明に係る表示装置は、前記遮光部材は、前記外枠部が前記支持体に接着されており、前記内枠部の厚みが前記外枠部よりも薄いことを特徴とする。【００１７】
本発明においては、遮光部材の外枠部が支持体に接着され、内枠部の厚みが外枠部よりも薄くなっている。表示装置の組み立て時、支持体に光学シートを配置する際に、遮光部材の内枠部は光学シートに押されて折れ曲がるが、復元力により元の形状に戻り、光学シートの背後に遮光部材の内枠部が潜り込むことがない。【００１８】
本発明に係る表示装置は、前記光学シートは、前記支持体の内側に配置されており、前記支持体は、光を遮蔽し、前記光学シートの周縁部の背面に接触して前記光学シートを支持する部分を有することを特徴とする。【００１９】
本発明においては、光学シートは支持体の内側に配置され、支持体は、光を遮光し、光学シートを背後から支持する。光源からの光の内で光学シートに入射しない光は、支持体で遮光され、表示パネルの周縁部へ入射することはない。
【発明の効果】
【００２０】
本発明あっては、表示パネルの周縁部へ光が入射することが防止され、表示装置に光漏れが発生することが確実に防止される。従って、表示装置が表示する画像の品位の悪化が防止される等、本発明は優れた効果を奏する。
【図面の簡単な説明】
【００２１】
【図１】本発明に係る表示装置の斜視図である。
【図２】表示装置の模式的断面図である。
【図３】表示装置の断面の端部分を拡大した模式的部分断面図である。
【図４】実施の形態１に係る表示装置の遮光部材の組み付けの様子を示す説明図である。
【図５】実施の形態２に係る表示装置の遮光部材の組み付けの様子を示す説明図である。
【図６】実施の形態３に係る表示装置の遮光部材の組み付けの様子を示す説明図である。
【発明を実施するための形態】
【００２２】
以下本発明をその実施の形態を示す図面に基づき具体的に説明する。
（実施の形態１）
図１は、本発明に係る表示装置の斜視図である。表示装置は、例えばテレビジョン受像機である。表示装置は、矩形板状の非発光型の表示パネル２を備えている。表示パネル２は、背後から照明されて画像を表示する。表示パネル２は例えば液晶パネルである。表示パネル２の周縁部分及び側面はベゼル１に覆われている。ベゼル１は額縁状の金属製部材である。
【００２３】
図２は、表示装置の模式的断面図である。図２の上側が表示パネル２の正面側に対応し、下側が表示パネル２の背面側に対応する。表示パネル２の背後には、光を拡散・集光させる略矩形状の光学シート３が配置されている。光学シート３は、光を拡散させる機能を有するシート、及び集光する機能を有するシート等、複数のシートが積層されて構成されている。表示パネル２の背面は光学シート３に対向している。表示パネル２は光学シート３よりも大面積であり、正面視で表示パネル２の周縁部分は光学シート３よりも外側に位置している。光学シート３の背後には、光を拡散させる矩形板状の拡散板６１が配置されている。拡散板６１の背後には、複数の光源６３が配置されている。光源６３は、発光ダイオード又は冷陰極管等で構成されている。複数の光源６３は、拡散板６１から離隔し、拡散板６１に沿った方向に並んでいる。光源６３は、光学シート３及び拡散板６１を間に置いて表示パネル２の背面に対向している。更に、拡散板６１の背後には、光源６３からの光を反射させる反射シート６２が配置されている。拡散板６１、反射シート６２及び光源６３は、表示装置に含まれる直下型のバックライトを構成している。光源６３からの光は、反射シート６２で反射され、拡散板６１へ入射し、拡散板６１で拡散されながら拡散板６１を通過し、光学シート３へ入射する。光学シート３へ入射した光は、光学シート３で拡散・集光されながら光学シート３を通過し、表示パネル２の背面へ入射する。表示パネル２は、入射した光を正面から放射することで画像を表示する。
【００２４】
表示パネル２及び光学シート３と拡散板６１との間には、矩形枠状の内部シャーシ４（支持体）が配置されている。内部シャーシ４は、表示パネル２及び光学シート３の周縁部分の背面側に位置しており、表示パネル２及び光学シート３の周縁部分を背面側から支持している。また、内部シャーシ４は、光を遮断する材料で構成されている。表示パネル２と内部シャーシ４及び光学シート３との間には、遮光部材５が配置されている。遮光部材５は、光を遮断するとともに、表示パネル２と内部シャーシ４及び光学シート３との間の隙間を埋める緩衝部材としての役割を果たす。表示パネル２は、ベゼル１の表示パネル２よりも正面側に位置する部分と内部シャーシ４との間で狭持されている。
【００２５】
反射シート６２の後側には、金属製のバックライトシャーシ７が配置されている。拡散板６１及び反射シート６２は、内部シャーシ４及びバックライトシャーシ７の間で狭持されている。光源６３はバックライトシャーシ７に固定されている。
【００２６】
図３は、表示装置の断面の端部分を拡大した模式的部分断面図である。ベゼル１の表示パネル２よりも正面側に位置する部分と表示パネル２との間にはスペーサ１１が配置されている。表示パネル２は、複数のガラス基板が積層されたガラスパネル部２２、ガラスパネル部２２の正面側に設けられた偏光板２１、及びガラスパネル部２２の背面側に設けられた偏光板２３を含んで構成されている。ガラスパネル部２２には、ガラス基板に実装された電極層及び液晶層等が含まれている。ガラスパネル部２２は偏光板２３よりも大きい。このため、ガラスパネル部２２の周縁部は、表示パネル２に沿った方向へ偏光板２３の端よりも突出しており、周縁部の背面は偏光板２３に覆われずに露出している。
【００２７】
内部シャーシ４は、表示パネル２を支持するパネル支持部４１と、光学シート３を支持するシート支持部４２とを有している。パネル支持部４１は、表示パネル２の周縁部の背面側に位置しており、遮光部材５を介して表示パネル２の周縁部を背面側から支持している。光学シート３はパネル支持部４１よりも内側に配置されており、光学シート３の周縁よりも外側にパネル支持部４１が位置している。シート支持部４２は、パネル支持部４１から背面側へ突出し、更に内側へ突出した部分である。シート支持部４２は、光学シート３の周縁部の背面側に位置しており、光学シート３の周縁部を背面側から支持している。
【００２８】
図４は、実施の形態１に係る表示装置の遮光部材５の組み付けの様子を示す説明図である。表示装置の断面の端部分を拡大した模式的部分断面図を示している。遮光部材５は、シリコン、ウレタン又はゴム等の弾性を有する材料で形成されている。図４に示すように、遮光部材５は断面が矩形状になっている。以下の説明では、遮光部材５の外側の部分、即ち図４では左側の部分を外枠部５１と呼ぶ。遮光部材５の内側の部分、即ち図４では右側の部分を内枠部５２と呼ぶ。遮光部材５の外枠部５１は、内部シャーシ４のパネル支持部４１に正面側から接触している。内枠部５２は、パネル支持部４１よりも内側へ突出している。遮光部材５の外枠部５１はパネル支持部４１と接する部分に両面テープ、接着剤等を設けて、内部シャーシ４と接着する。遮光部材５を内部シャーシ４に接着することにより、組立時の遮光部材５の位置ずれが防止される。遮光部材５の外枠部５１を内部シャーシ４に接着後、図４に矢印で示したように、正面側から表示パネル２を積層させる。更に、スペーサ１１を積層させ、ベゼル１を内部シャーシ４に固定する。ベゼル１を固定した状態が、図３に示したものとなる。
【００２９】
図３に示すように、遮光部材５は、外枠部５１と外枠部５１に比べて位置が背面側に偏移した内枠部５２とが連なった段状に変形している。遮光部材５の外枠部５１は、ガラスパネル部２２の周縁部と内部シャーシ４のパネル支持部４１との間で挟持されている。遮光部材５の内枠部５２は、偏光板２３の背面と光学シート３の正面に接触し、偏光板２３と光学シート３との間で挟持されている。即ち、遮光部材５は、ガラスパネル部２２の周縁部に外枠部５１が接触し、内枠部５２が偏光板２３及び光学シート３に接触するような大きさになっている。偏光板２３は、ガラスパネル部２２の周縁部の背面よりも突出しているので、表示パネル２を積層した際に、遮光部材５の内枠部５２は、偏光板２３によって背面側へ押され、偏光板２３の厚みの分だけ変形する。このようにして、表示パネル２を積層した後の遮光部材５は、前後から押圧され、段状になっている。遮光部材５は弾性を有しているので、押圧されることによって復元力が発生し、遮光部材５は、ガラスパネル部２２の偏光板２３で覆われずに露出した周縁部の背面、内部シャーシ４のパネル支持部４１、偏光板２３の周縁部の背面及び光学シート３の周縁部の正面と密着するように当接する。
【００３０】
遮光部材５は、表示パネル２の全周に亘って設けられており、正面視で枠状に形成されている。また、遮光部材５は、光を遮断する材料で形成されている。遮光部材５の色は遮光性を高めるために黒色であることが望ましい。ただし、遮光部材５の色は黒色に限らず、灰色又は白色等の他の色であってもよい。遮光部材５が全周に亘って設けられているので、光学シート３の周縁部の正面及び偏光板２３の周縁部の背面は、遮光部材５の内枠部５２で覆われている。このため、光学シート３を通過した光源６３からの光は、偏光板２３よりも外側へ漏れようとしても、遮光部材５で遮光されるので、漏れることはない。実質的に、光は全て偏光板２３へ入射し、表示パネル２での画像表示に寄与する。偏光板２３よりも外側へ光が漏れることがないので、表示パネル２の端面、及びガラスパネル部２２の周縁部へ光が入射することはなく、光漏れが発生することがない。また、ガラスパネル部２２の偏光板２３で覆われずに露出した周縁部の背面には、遮光部材５の外枠部５１が接しているので、仮に偏光板２３よりも外側へ光が漏れたとしても、外枠部５１で遮光され、ガラスパネル部２２の周縁部の背面へ光が入射することはなく、光漏れが発生することがない。また、光学シート３から外側へ光が漏れたとしても、同様に、遮光部材５の外枠部５１で遮光され、光漏れが発生することはない。更に、拡散板６１及び反射シート６２から外側へ光が漏れたとしても、内部シャーシ４で遮光され、光漏れが発生することはない。
【００３１】
以上のように、遮光部材５を設けることにより、表示パネル２の端面、及びガラスパネル部２２の偏光板２３で覆われずに露出した部分へ光が入射することを防止し、表示装置の表示面の周縁部分が他の部分よりも明るくなる光漏れの発生を確実に防止することができる。組立のばらつき等のために遮光部材５の位置が表示パネル２に沿ってずれた場合でも、ガラスパネル部２２、偏光板２３及び光学シート３と遮光部材５とが密着する状態は保たれやすい。このため、この場合でも、確実に光は遮断され、光漏れの発生が防止される。光漏れの発生が確実に防止されるので、表示装置が表示する画像の品位の悪化が防止される。
【００３２】
（実施の形態２）
図５は、実施の形態２に係る表示装置の遮光部材５の組み付けの様子を示す説明図である。表示装置の断面の端部分を拡大した模式的部分断面図を示している。実施の形態２では、遮光部材５の形状が実施の形態１と異なるが、その他については、実施の形態１と同様である。実施の形態２では遮光部材５の形状を組み付け後の形状に近いものとする。図５に示すように遮光部材５の断面は段状になっている。即ち、遮光部材５の断面は、共に矩形状断面を有する外枠部５１及び内枠部５２が連続しており、内枠部５２の位置が外枠部５１に比べて背面側へ偏移した形状になっている。遮光部材５は断面が矩形状の部材二つを加工して貼りあわせてもよい。また、遮光部材５は、断面が段状になるように成形した成形品であってもよい。
【００３３】
遮光部材５の外枠部５１は、内部シャーシ４のパネル支持部４１に、両面テープ又は接着剤等で接着される。外枠部５１を接着する際には、外枠部５１の左側の面は内部シャーシ４と隙間を空ける。同様に、内枠部５２の右側の面は、表示パネル２の偏光板２３の端と隙間が開くようにしてある。
【００３４】
遮光部材５を内部シャーシ４に接着後、図５に矢印で示したように、表示パネル２を積層させる。更に、スペーサ１１を積層させ、ベゼル１を内部シャーシ４に固定する。ベゼル１を固定した状態が、図３に示したものとなる。遮光部材５は組み付け時に変形し、隙間が埋められる。なお、隙間を開ける構成は必須ではなく、表示装置の構成は隙間を開けない構成であってもよい。
【００３５】
本実施の形態においても、表示装置は、実施の形態１と同様の効果を奏する。即ち、光漏れの発生が確実に防止され、表示装置が表示する画像の品位の悪化が防止される。また、本実施の形態では、遮光部材５の断面形状を、表示パネル２、内部シャーシ４及び光学シート３に挟持されて形成される断面形状と略一致するように、段状としている。このため、遮光部材５は、表示パネル２、内部シャーシ４及び光学シート３と密着性が高くなる。表示パネル２に沿った方向の振動が発生した場合、外枠部５１が偏光板２３に係止され、内枠部５２が内部シャーシ４のパネル支持部４１に係止されて、振動方向に遮光部材５の位置がずれることが防止される。このため、表示装置は、より確実に光漏れの発生を防止することができる。
【００３６】
以上の実施の形態１及び２においては、遮光部材５は内部シャーシ４に接着するとしたが、これに限るものではない。例えば、遮光部材５を表示パネル２の周縁部に接着してもよい。この場合でも、表示装置の組み立て時に遮光部材５の位置ずれが防止される。また、表示装置は、接着を行わずに組み立てられることも可能である。
【００３７】
（実施の形態３）
図６は、実施の形態３に係る表示装置の遮光部材５の組み付けの様子を示す説明図である。表示装置の断面の端部分を拡大した模式的部分断面図を示している。実施の形態３では、遮光部材５の形状が実施の形態１及び２と異なるが、その他については、実施の形態１及び２と同様である。実施の形態３では、遮光部材５の外枠部５１及び内枠部５２は夫々の断面が矩形状をなしており、内枠部５２は外枠部５１より厚みを薄くしてある。図６中には、外枠部５１及び内枠部５２の正面側の面が同一面となった例を示しているが、内枠部５２の厚みが外枠部５１より薄くしてある形状であれば、外枠部５１及び内枠部５２の正面側の面が同一面になっていなくてもよい。
【００３８】
遮光部材５の外枠部５１は、内部シャーシ４のパネル支持部４１に、両面テープ又は接着剤等で接着される。外枠部５１を接着する際には、実施の形態２の場合と同様に、外枠部５１の左側の面は内部シャーシ４と隙間を空ける。遮光部材５は組み付け時に変形し、隙間が埋められる。なお、隙間を開ける構成は必須では無く、表示装置の構成は隙間を開けない構成であってもよい。
【００３９】
本実施の形態での組立手順を説明する。バックライトシャーシ７に反射シート６２及び光源６３を組み付け、次に拡散板６１を組み付ける。次に、予め遮光部材５を接着してある内部シャーシ４を組み付けるか、又は、内部シャーシ４を組み付けた後に遮光部材５を接着する。次に、光学シート３を配置する。光学シート３を配置する際には、遮光部材５の内枠部５２が邪魔となる。しかし、遮光部材５は弾性を有しており、内枠部５２を薄くしているので、光学シート３を正面側から押し込むことで、図６中に二点鎖線で示すように内枠部５２が光学シート３の周縁部に押されて折れ曲がる。遮光部材５の内枠部５２が折れ曲がることで、光学シート３は、内枠部５２よりも背面側へ移動し、背後から内部シャーシ４のシート支持部４２に支持される位置に配置される。光学シート３が配置された後は、遮光部材５の内枠部５２は復元力により元の形状に戻る。次に、表示パネル２を積層させ、スペーサ１１を配置させ、ベゼル１を内部シャーシ４に固定する。ベゼル１を固定した状態が、図３に示したものとなる。組立時に遮光部材５の内枠部５２が光学シート３の背面側に潜り込むことを防止することができる。
【００４０】
本実施の形態においても、表示装置は、実施の形態１と同様の効果を奏する。即ち、光漏れの発生が確実に防止され、表示装置が表示する画像の品位の悪化が防止される。また、予め内部シャーシ４に遮光部材５を接着した場合であっても、組立時に遮光部材５の内枠部５２が光学シート３の背面側に潜り込むことを防止するので、組立作業の作業性が改善される。また、予め内部シャーシ４に遮光部材５を接着しておくことにより、組立時に遮光部材５の位置ずれを防ぐことが可能となる。
【００４１】
各実施例で記載されている技術的特徴（構成要件）はお互いに組合せ可能であり、組み合わせすることにより、新しい技術的特徴を形成することができる。今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００４２】
１  ベゼル
２  表示パネル
２１、２３  偏光板
２２  ガラスパネル部
３  光学シート
４  内部シャーシ（支持体）
５  遮光部材（遮光部材）
５１  外枠部
５２  内枠部
６１  散乱板
６２  反射シート
６３  光源
７  バックライトシャーシ
【図１】
2015177866.tif 000003
【図２】
2015177866.tif 000004
【図３】
2015177866.tif 000005
【図４】
2015177866.tif 000006
【図５】
2015177866.tif 000007
【図６】
2015177866.tif 000008
【手続補正書】
【提出日】平成28年10月18日(2016.10.18)
【手続補正１】
【補正対象書類名】明細書
【補正対象項目名】００２０
【補正方法】変更
【補正の内容】
【００２０】
本発明にあっては、表示パネルの周縁部へ光が入射することが防止され、表示装置に光漏れが発生することが確実に防止される。従って、表示装置が表示する画像の品位の悪化が防止される等、本発明は優れた効果を奏する。
【手続補正２】
【補正対象書類名】明細書
【補正対象項目名】００２３
【補正方法】変更
【補正の内容】
【００２３】
図２は、表示装置の模式的断面図である。図２の左側が表示パネル２の正面側に対応し、右側が表示パネル２の背面側に対応する。表示パネル２の背後には、光を拡散・集光させる略矩形状の光学シート３が配置されている。光学シート３は、光を拡散させる機能を有するシート、及び集光する機能を有するシート等、複数のシートが積層されて構成されている。表示パネル２の背面は光学シート３に対向している。表示パネル２は光学シート３よりも大面積であり、正面視で表示パネル２の周縁部分は光学シート３よりも外側に位置している。光学シート３の背後には、光を拡散させる矩形板状の拡散板６１が配置されている。拡散板６１の背後には、複数の光源６３が配置されている。光源６３は、発光ダイオード又は冷陰極管等で構成されている。複数の光源６３は、拡散板６１から離隔し、拡散板６１に沿った方向に並んでいる。光源６３は、光学シート３及び拡散板６１を間に置いて表示パネル２の背面に対向している。更に、拡散板６１の背後には、光源６３からの光を反射させる反射シート６２が配置されている。拡散板６１、反射シート６２及び光源６３は、表示装置に含まれる直下型のバックライトを構成している。光源６３からの光は、反射シート６２で反射され、拡散板６１へ入射し、拡散板６１で拡散されながら拡散板６１を通過し、光学シート３へ入射する。光学シート３へ入射した光は、光学シート３で拡散・集光されながら光学シート３を通過し、表示パネル２の背面へ入射する。表示パネル２は、入射した光を正面から放射することで画像を表示する。
【手続補正３】
【補正対象書類名】明細書
【補正対象項目名】００３３
【補正方法】変更
【補正の内容】
【００３３】
遮光部材５の外枠部５１は、内部シャーシ４のパネル支持部４１に、両面テープ又は接着剤等で接着される。外枠部５１を接着する際には、外枠部５１の左側の面は内部シャーシ４と隙間を空ける。同様に、外枠部５１の右側の面は、表示パネル２の偏光板２３の端と隙間が開くようにしてある。
【手続補正４】
【補正対象書類名】明細書
【補正対象項目名】００４２
【補正方法】変更
【補正の内容】
【００４２】
１  ベゼル
２  表示パネル
２１、２３  偏光板
２２  ガラスパネル部
３  光学シート
４  内部シャーシ（支持体）
５  遮光部材
５１  外枠部
５２  内枠部
６１  拡散板
６２  反射シート
６３  光源
７  バックライトシャーシ
【国際調査報告】
2015177866.tif 000009
2015177866.tif 000010